【手続補正書】
【提出日】平成24年11月28日(2012.11.28)
【手続補正１】
【補正対象書類名】特許請求の範囲
【補正対象項目名】全文
【補正方法】変更
【補正の内容】
【特許請求の範囲】
【請求項１】
一対のドラムと、前記一対のドラムに掛け回された鋼帯である無端ベルトとを備え、前記無端ベルトの上に試験体が配置されるようになっている走行試験装置用ムービングベルト機構であって、
前記無端ベルトと当接し、回転軸に垂直な軸周りに傾斜することによって該無端ベルトの蛇行を修正する蛇行修正ローラを備え、
前記無端ベルトの前記蛇行修正ローラと当接する当接面には、略全周に亙って該当接面を保護するための第１の保護シートが設けられており、
前記無端ベルトは、前記第１の保護シートのひずみにより該無端ベルトを反らせるように加えられる応力によって実質変形しない程度の曲げ剛性を有する
ことを特徴とする走行試験装置用ムービングベルト機構。
【請求項２】
前記無端ベルトの曲げ剛性が、前記第１の保護シートの曲げ剛性の１０倍以上であることを特徴とする請求項１に記載の走行試験装置用ムービングベルト機構。
【請求項３】
前記無端ベルトの曲げ剛性が、前記第１の保護シートの曲げ剛性の１００倍以上であることを特徴とする請求項２に記載の走行試験装置用ムービングベルト機構。
【請求項４】
前記第１の保護シートの縦弾性係数が、０．０２［ＧＰａ］以上であることを特徴とする請求項１から請求項３のいずれか一項に記載の走行試験装置用ムービングベルト機構。
【請求項５】
前記第１の保護シートの縦弾性係数が、０．１［ＧＰａ］以上であることを特徴とする請求項４に記載の走行試験装置用ムービングベルト機構。
【請求項６】
前記第１の保護シートの横弾性係数が、０．０１［ＧＰａ］以上であることを特徴とする請求項１から請求項５のいずれか一項に記載の走行試験装置用ムービングベルト機構。
【請求項７】
前記第１の保護シートの横弾性係数が、０．０２［ＧＰａ］以上であることを特徴とする請求項６に記載の走行試験装置用ムービングベルト機構。
【請求項８】
前記蛇行修正ローラが、前記一対のドラムとは別個に設けられ且つ前記無端ベルトに当接するエッジローラであることを特徴とする請求項１から請求項７のいずれか一項に記載の走行試験装置用ムービングベルト機構。
【請求項９】
前記エッジローラの一端が上方に、他端が下方に移動するよう駆動されて該エッジローラが傾斜することを特徴とする請求項８に記載の走行試験装置用ムービングベルト機構。
【請求項１０】
前記エッジローラの一端が前記試験体の進行方向に、他端が該試験体の後退方向に移動するよう駆動されて該エッジローラが傾斜することを特徴とする請求項８に記載の走行試験装置用ムービングベルト機構。
【請求項１１】
前記第１の保護シートが前記無端ベルトの内周面に設けられ、
前記エッジローラが、前記無端ベルトの内周面に前記第１の保護シートを介して当接していることを特徴とする請求項８から請求項１０のいずれか一項に記載の走行試験装置用ムービングベルト機構。
【請求項１２】
前記第１の保護シートが前記無端ベルトの外周面に設けられ、
前記一対のドラムと当接する前記無端ベルトの内周面には、略全周に亙って該内周面を保護するための第２の保護シートが設けられており、
前記エッジローラが、前記無端ベルトの外周面に前記第１の保護シートを介して当接し、
前記無端ベルトは、前記第２の保護シートのひずみにより該無端ベルトを反らせるように加えられる応力によって実質変形しない程度の曲げ剛性を有する
ことを特徴とする請求項８から請求項１０のいずれか一項に記載の走行試験装置用ムービングベルト機構。
【請求項１３】
前記第２の保護シートが接着によって前記無端ベルトに貼り付けられることを特徴とする請求項１２に記載の走行試験装置用ムービングベルト機構。
【請求項１４】
前記蛇行修正ローラが、前記一対のドラムのいずれか一方であり、
前記蛇行修正ローラの一端が前記試験体の進行方向に、他端が該試験体の後退方向に移動するよう駆動されて該蛇行修正ローラが傾斜する
ことを特徴とする請求項１から請求項７のいずれか一項に記載の走行試験装置用ムービングベルト機構。
【請求項１５】
前記第１の保護シートが接着によって前記無端ベルトに貼り付けられることを特徴とする請求項１から請求項１４のいずれか一項に記載の走行試験装置用ムービングベルト機構。
【請求項１６】
鋼帯である無端ベルトであって、その一面には、略全周に亙って該一面を保護するための第１の保護シートが設けられており、該第１の保護シートのひずみにより該無端ベルトを反らせるように加えられる応力によって実質変形しない程度の曲げ剛性を有することを特徴とする無端ベルト。
【手続補正２】
【補正対象書類名】明細書
【補正対象項目名】０００６
【補正方法】変更
【補正の内容】
【０００６】
上記の目的を達成するため、本発明の走行試験装置用ムービングベルト機構は、鋼帯である無端ベルトと当接し、回転軸に垂直な軸周りに傾斜することによって該無端ベルトの蛇行を修正する蛇行修正ローラを備え、無端ベルトの蛇行修正ローラと当接する当接面には、略全周に亙って該当接面を保護するための第１の保護シートが設けられており、無端ベルトは、第１の保護シートのひずみにより該無端ベルトを反らせるように加えられる応力によって実質変形しない程度の曲げ剛性を有することを特徴とする。
【手続補正３】
【補正対象書類名】明細書
【補正対象項目名】０００７
【補正方法】変更
【補正の内容】
【０００７】
本発明の発明者は、検討の結果、ドラムや蛇行修正ローラと無端ベルトとの当接によって生じる無端ベルト内周面の傷が、蛇行修正ローラによって広げられることによって、無端ベルトの変形が発生することを発見した。上記の本発明の構成によれば、第１の保護シートによって無端ベルトの当接面が保護されるため、無端ベルトの当接面に傷がつくことがない。また、無端ベルトが、第１の保護シートの応力によって該無端ベルトが実質変形しない程度の曲げ剛性を有するため、第１の保護シートに変形が生じたとしても、無端ベルトに反りなどの変形が生じることはない。
【手続補正４】
【補正対象書類名】明細書
【補正対象項目名】０００８
【補正方法】変更
【補正の内容】
【０００８】
また、無端ベルトの曲げ剛性が、第１の保護シートの曲げ剛性の１０倍以上であることが好ましい。さらに好ましくは、無端ベルトの曲げ剛性が、第１の保護シートの曲げ剛性の１００倍以上である。
【手続補正５】
【補正対象書類名】明細書
【補正対象項目名】０００９
【補正方法】変更
【補正の内容】
【０００９】
また、第１の保護シートの縦弾性係数が、０．０２［ＧＰａ］以上である構成とすることが好ましい。さらに好ましくは、第１の保護シートの縦弾性係数が、０．１［ＧＰａ］以上である。
【手続補正６】
【補正対象書類名】明細書
【補正対象項目名】００１０
【補正方法】変更
【補正の内容】
【００１０】
また、第１の保護シートの横弾性係数が、０．０１［ＧＰａ］以上である構成とすることが好ましい。さらに好ましくは、第１の保護シートの横弾性係数が、０．０２［ＧＰａ］以上である。
【手続補正７】
【補正対象書類名】明細書
【補正対象項目名】００１１
【補正方法】変更
【補正の内容】
【００１１】
上記の大きさの縦弾性係数及び横弾性係数を有する保護シートは、板厚方向の圧縮荷重及び、面方向に沿ったせん断荷重に対して充分に高い剛性を有する。第１の保護シートは、ドラムと無端ベルトとの間に挟まれて上記の方向の圧縮荷重及びせん断荷重を受けるが、第１の保護シートはこれらの圧縮及びせん断荷重に対して事実上剛体と見なせるため、第１の保護シートの弾性に起因する、走行試験装置の試験性能に影響を与えるような振動が無端ベルトに発生することはない。
【手続補正８】
【補正対象書類名】明細書
【補正対象項目名】００１３
【補正方法】変更
【補正の内容】
【００１３】
また、第１の保護シートが無端ベルトの内周面に設けられ、エッジローラが、前記無端ベルトの内周面に第１の保護シートを介して当接している構成としてもよい。
【手続補正９】
【補正対象書類名】明細書
【補正対象項目名】００１４
【補正方法】変更
【補正の内容】
【００１４】
或いは、第１の保護シートが無端ベルトの外周面に設けられ、一対のドラムと当接する無端ベルトの内周面には、略全周に亙って該内周面を保護するための第２の保護シートが設けられており、エッジローラが、無端ベルトの外周面に第１の保護シートを介して当接し、無端ベルトは、第２の保護シートのひずみにより該無端ベルトを反らせるように加えられる応力によって実質変形しない程度の曲げ剛性を有する構成としてもよい。この場合、第２の保護シートが接着によって無端ベルトに貼り付けられる構成としてもよい。
【手続補正１０】
【補正対象書類名】明細書
【補正対象項目名】００１６
【補正方法】変更
【補正の内容】
【００１６】
また、第１の保護シートが、例えば接着によって前記無端ベルトに貼り付けられる構成としてもよい。
【手続補正１１】
【補正対象書類名】明細書
【補正対象項目名】００１７
【補正方法】変更
【補正の内容】
【００１７】
また、上記の目的を達成するため、本発明の鋼帯である無端ベルトは、その一面に、略全周に亙って該一面を保護するための第１の保護シートが設けられており、さらに、該第１の保護シートのひずみにより該無端ベルトを反らせるように加えられる応力によって実質変形しない程度の曲げ剛性を有する。
【手続補正１２】
【補正対象書類名】明細書
【補正対象項目名】０００４
【補正方法】変更
【補正の内容】
【０００４】
このようなムービングベルト機構においては、無端ベルトの幅方向両端部が中央部に対してベルト外周側に反り返る変形が比較的短時間のうちに発生し、無端ベルトの寿命が短いものとなっていた。
【手続補正１３】
【補正対象書類名】明細書
【補正対象項目名】００２３
【補正方法】変更
【補正の内容】
【００２３】
従動ローラ１１及び駆動ローラ１２の軸方向は幅方向に一致する。そのため、駆動ローラ１２を図中時計回り方向に回転させると、無端ベルト１４の上部１４ａが前後方向の前側から後側に移動するように、無端ベルト１４が、従動ローラ１１、駆動ローラ１２及びエッジローラ１３の周りを回動する。そして、無端ベルト１４と従動ローラ１１及びエッジローラ１３との間に働く摩擦力によって、無端ベルト１４の上記回動に伴って従動ローラ１１及びエッジローラ１３が図中時計回り方向に回転するようになる。
【手続補正１４】
【補正対象書類名】明細書
【補正対象項目名】００２８
【補正方法】変更
【補正の内容】
【００２８】
エッジローラ１３は、その軸方向が幅方向と略一致するよう配置されている。さらに、エッジローラ１３は、無端ベルト１４の下部１４ｂにおいて、内周面１４ｉに当接している。また、エッジローラ１３を幅方向両端で支持する軸受１５ａには、軸受１５ａの少なくとも一方を上下方向に移動するためのアクチュエータ１５ｂが接続されている。アクチュエータ１５ｂを駆動することによって、軸受１５ａの一方を上に、及び／又は他方を下に移動させて、エッジローラ１３を前後方向周りに傾けることができるようになっている。なお、アクチュエータ１５ｂは、コントローラ３０によって制御される。
【手続補正１５】
【補正対象書類名】明細書
【補正対象項目名】００２９
【補正方法】変更
【補正の内容】
【００２９】
エッジローラ１３は、無端ベルト１４の幅方向への蛇行を修正するために使用される。エッジローラ１３の幅方向左側が幅方向右側に対して上側に位置するようにエッジローラ１３が傾けられると、無端ベルト１４に加わる張力は、幅方向左側の方が幅方向右側よりも小さくなる。この結果、無端ベルト１４には幅方向左側に向かう力が加わって、無端ベルト１４は幅方向左側に移動する。一方、エッジローラ１３の幅方向左側が幅方向右側に対して下側に位置するようにエッジローラ１３が傾けられると、無端ベルト１４に加わる張力は、幅方向左側の方が幅方向右側よりも大きくなる。この結果、無端ベルト１４には幅方向右側に向かう力が加わって、無端ベルト１４は幅方向右側に移動する。このように、エッジローラ１３を傾けることによって、無端ベルト１４を、幅方向に移動させることが可能となる。本実施形態のムービングベルト機構１０は、無端ベルト１４の蛇行（すなわち無端ベルト１４の幅方向のずれ）を検知するための図示しない蛇行検知センサを有しており、コントローラ３０は、蛇行検知センサの検知結果に基づいて、蛇行が修正される方向にエッジローラ１３が傾けられるようアクチュエータ１５ｂを制御する。
【手続補正１６】
【補正対象書類名】明細書
【補正対象項目名】００４９
【補正方法】変更
【補正の内容】
【００４９】
本実施形態においては、図５に示されるように、従動ドラム１１を幅方向両端で支持する軸受１８ａに、軸受１８ａの少なくとも一方を前後方向に移動するためのアクチュエータ１８ｂが接続されている。アクチュエータ１８ｂを駆動することによって、軸受１８ａの一方を前に、及び／又は他方を後に移動させて、従動ドラム１１を鉛直方向周りに傾けることができるようになっている。なお、アクチュエータ１８ｂは、コントローラ３０によって制御される。
【手続補正１７】
【補正対象書類名】明細書
【補正対象項目名】００５５
【補正方法】変更
【補正の内容】
【００５５】
本実施形態において、無端ベルト１４の蛇行を修正するエッジローラ１３´は、無端ベルト１４の外周面１４ｏの無端ベルト１４の下部１４ｂ側の部分に当接している。また、エッジローラ１３´は、その軸方向が幅方向と略一致するよう配置されている。また、エッジローラ１３´を幅方向両端で支持する軸受１５ａ´には、軸受１５ａ´の少なくとも一方を上下方向に移動するためのアクチュエータ１５ｂ´が接続されている。アクチュエータ１５ｂ´を駆動することによって、軸受１５ａ´の一方を上に、及び／又は他方を下に移動させて、エッジローラ１３´を前後方向周りに傾けることができるようになっている。なお、アクチュエータ１５ｂ´は、コントローラ３０によって制御される。
【手続補正１８】
【補正対象書類名】明細書
【補正対象項目名】００６４
【補正方法】変更
【補正の内容】
【００６４】
比較例においては、ムービングベルト機構１０を１０時間連続駆動したところ、無端ベルト１４の幅方向両端部に反りが確認された。反りの大きさ（無端ベルト１４の幅方向中央部に対する幅方向両端部のベルト板厚方向の変位）は３ｍｍであった。これに対し、実施例においては、ムービングベルト機構１０を１００時間連続駆動しても無端ベルト１４の反りは確認されなかった。
【手続補正１９】
【補正対象書類名】図面
【補正対象項目名】図４
【補正方法】変更
【補正の内容】
【図４】
2011117898.tif 000001